(57)【要約】【課題】患者に経鼻的に麻酔ガスを供給して麻酔を掛ける際に、麻酔用ガスを安定的に供給することにより麻酔の効果を安定させるとともに、麻酔ガスによる環境汚染の発生を抑制可能な麻酔用マスクを提供すること。【解決手段】麻酔用マスク１０であって、麻酔装置との間で麻酔ガスを流通する麻酔ガス管路が接続される麻酔ガス導入部１２が形成され、口部を覆うことが可能とされたマスク本体１１と、鼻の穴を閉塞する鼻穴被覆部材１６とを備え、前記鼻穴被覆部材１６は、左右の前記鼻穴を各別に閉塞可能に構成されていることを特徴とする。【選択図】図１
2009142330.tif 000002
【特許請求の範囲】
【請求項１】
麻酔ガスを供給する麻酔ガス管路が接続される麻酔ガス導入部を有するとともに口部を被覆可能とされたマスク本体と、鼻穴被覆部材とを備え、
前記鼻穴被覆部材は、
左右の鼻穴を各別に被覆可能に構成されていることを特徴とする麻酔用マスク。
【請求項２】
請求項１に記載の麻酔用マスクであって、
前記鼻穴被覆部材は、
前記左右の鼻穴に対応して各1つ設けられ、前記マスク本体と索状体を介して連結されていることを特徴とする麻酔用マスク。
【発明の詳細な説明】
【技術分野】
【０００１】
この発明は、経鼻的な麻酔を容易に行うことが可能な麻酔用マスクに関する。
【背景技術】
【０００２】
近年、全身麻酔を掛ける際に、気管チューブを鼻穴を経由して患者に挿入して麻酔ガスを供給する経鼻的な全身麻酔が普及しつつある。
チューブを鼻穴から挿管することが可能な麻酔用マスクとして、例えば、特許文献１に示すような、麻酔ガスを供給しながらカテーテル等のチューブが挿管可能とされた麻酔用マスクに関する技術が開示されている。
【特許文献１】特開２０００−２６２６２１号公報
【発明の開示】
【発明が解決しようとする課題】
【０００３】
しかしながら、上記麻酔用マスクを用いる場合、麻酔ガスを供給する気管チューブを鼻穴から挿管すると患者に気管チューブが挿管された状態で麻酔用マスクを口から取り外せないために、患者の鼻穴を介して経鼻的に麻酔ガスの供給をすることが困難である。
そこで、気管チューブを挿管する前に麻酔を掛けて患者を眠らせて鼻穴から気管チューブを挿管させることにより経鼻的に安定して麻酔ガスの供給を可能とし、かつ麻酔ガスが漏出することにより環境が汚染されることがない麻酔用マスクの要求がある。
【０００４】
本発明は、このような事情を考慮してなされたものであり、患者に経鼻的に麻酔ガスを供給して麻酔を掛ける際に、麻酔用ガスを安定的に供給することにより麻酔の効果を安定させるとともに、麻酔ガスによる環境汚染の発生を抑制可能な麻酔用マスクを提供することにある。
【課題を解決するための手段】
【０００５】
上記のような課題を解決するために、請求項１に記載の発明は、麻酔ガスを供給する麻酔ガス管路が接続される麻酔ガス導入部を有するとともに口部を被覆可能とされたマスク本体と、鼻穴被覆部材とを備え、前記鼻穴被覆部材は、左右の鼻穴を各別に被覆可能に構成されていることを特徴とする。
【０００６】
この発明に係る麻酔用マスクによれば、左右格別の鼻穴に被覆可能な鼻穴被覆部材と、口部を被覆するマスク本体とを有しているので、気管チューブを挿管する側の鼻穴のみ鼻穴被覆部材を取り外して気管チューブを鼻穴経由で気管に容易に挿入することができる。
この場合、気管チューブが挿入されない側の鼻穴は鼻穴被覆部材により被覆可能とされるので麻酔ガスの漏出が抑制される。
その結果、気管チューブが鼻穴から挿入された状態で患者への麻酔ガスの供給が可能とされるとともに麻酔ガスの漏出による汚染を抑制することができる。
【０００７】
請求項２に記載の発明は、請求項１に記載の麻酔用マスクであって、前記鼻穴被覆部材は、前記左右の鼻穴に対応して各1つ設けられ、前記マスク本体と索状体を介して連結されていることを特徴とする。
【０００８】
この発明に係る麻酔用マスクによれば、鼻穴被覆部材が、左右の鼻穴に対応して各1つ設けられるとともにマスク本体と索状体を介して連結されているので、気管チューブを挿管する側の鼻穴の鼻穴被覆部材のみを容易に取りはずすとともに鼻穴被覆部材を容易に取り扱うことが可能とされる。
【発明の効果】
【０００９】
この発明に係る麻酔用マスクによれば、患者に経鼻的に麻酔ガスを供給して麻酔を掛ける際に麻酔用ガスを安定的に供給して麻酔の効果を安定させるとともに、麻酔ガスによる環境汚染が発生することを抑制することができる。
【発明を実施するための最良の形態】
【００１０】
以下、この発明の一実施形態について、図面を参照して説明する。
図１、図２は、一実施形態に係る麻酔用マスク１０を示す図であり、麻酔用マスク１０は、マスク本体１１と、鼻穴閉塞栓（鼻穴被覆部材）１６とを備え、鼻穴閉塞栓１６は左右の鼻穴に対応して各別に一つずつの鼻穴閉塞栓１６Ｒ、１６Ｌ設けられ、それぞれの鼻穴閉塞栓１６Ｒ、１６Ｌは、マスク本体１１に、紐（索状体）１７Ｒ、１７Ｌによって連結されている。
【００１１】
マスク本体１１は、図１に示すように、患者Ｋが起立して装着した場合に正面視して下方側が円弧の略半月形とされ外方（口部Ｋ１と反対側）に向かってわずかに膨出した形態とされており、一体成形され円形断面を有する環状体からなり患者Ｋの口部Ｋ１を囲繞して口部Ｋ１の周囲に当接するパッド部１１Ａと、パッド部１１Ａの口部Ｋ１周囲の当接部とは反対側に接続されパッド部１１Ａを覆う被覆壁部１１Ｂとを備え、マスク本体１１の内方がマスク１０の外部と気密に口部Ｋ１を被覆可能とされている。
また、被覆壁部１１Ｂの口部Ｋ１前方の中央部には、麻酔装置（図示せず）から麻酔ガスを供給する麻酔ガス管路２が接続される円筒状の麻酔ガス導入部１２が形成されている。
【００１２】
パッド部１１Ａは、例えば、エラストマ等の柔軟な樹脂により成形され、被覆壁部１１Ｂは、麻酔用マスク１０を装着した状態で保形可能な略均一な厚さの樹脂により形成され、口部Ｋ１を良好に被覆可能とするとともに患者Ｋの口部Ｋ１の前方及び周囲には麻酔ガスが流通可能な空間部１３が形成されている。
【００１３】
それぞれの鼻穴閉塞栓１６Ｒ、１６Ｌは、例えば、発泡ポリスチレン等の柔軟性を有し鼻穴Ｋ２に挿入可能に容易に変形可能な樹脂等により略円柱状に形成されており、その外径は患者の鼻穴Ｋ２の内径よりもわずかに大きな径とされ、患者Ｋへの苦痛を抑制しつつ鼻穴Ｋ２を気密に閉塞可能とされている。
なお、鼻穴閉塞栓１６の外径は、例えば、大人用、小人用、幼児用、新生児用等、その用途によって設定することが可能である。
【００１４】
以下に、麻酔用マスク１０の作用について説明する。
まず、図２（Ａ）に示すように、麻酔用マスク１０を患者Ｋに装着して、患者Ｋの口部Ｋ１を覆う。このとき、鼻穴Ｋ２は鼻穴閉塞栓１６が挿入されることにより気密に閉塞される。
次に、麻酔ガス導入部１２に麻酔ガス管路２を接続し、図示しない麻酔装置を起動して、麻酔装置で生成した麻酔ガスを口部Ｋ１経由で患者Ｋに供給し患者Ｋを眠らせる。
【００１５】
患者Ｋが眠ったら、図２（Ｂ）に示すように、一方の側の鼻穴閉塞栓１６を取り除いて鼻穴Ｋ２から気管内チューブ３を挿管し、気管内チューブ３経由で患者Ｋに麻酔ガスを供給するとともに麻酔用マスク１０を取りはずす。
例えば、大人用の気管内チューブ３には、先端部分にカフ（バルーン）３Ｂが設けられていて、このカフ３Ｂを膨らませて気管が閉塞されて、気管内チューブ３を介して呼吸するようになっている。（小児用の場合には、気管が細いためにカフが必要とされない場合がある。）
その後は、気管内チューブ３を通じて麻酔ガスを供給して麻酔を継続しつつ手術を継続して行う。
この場合、一方の鼻穴Ｋ２は鼻穴閉塞栓１６により閉塞され、気管内チューブ３が挿管された側の鼻穴Ｋ２は気管内チューブ３が挿入されることにより流路が小さくなり麻酔ガスの漏出が抑制される。
【００１６】
上記実施形態に係る麻酔用マスク１０によれば、麻酔が掛かっていない状態ではマスク本体１１により口部Ｋ１を被覆するとともに鼻穴Ｋ２を鼻穴閉塞栓１６により閉塞してマスク本体１１内に麻酔ガスを供給することにより、気管内チューブ３を鼻穴Ｋ２に挿管することなく麻酔を掛けて眠らせることができる。
【００１７】
また、通常の麻酔マスクを使用する場合、気管チューブ挿管時の呼吸を確保するためには自発呼吸を残して挿管する必要があり、挿管行為に生体が反応することにより気道が収縮してスムースな挿管が困難な場合や、挿管にともなう咳反射等が発生する場合があるが、麻酔用マスク１０を使用した場合、呼吸を確保して完全麻酔下における挿管が可能となり、その結果、気道の収縮、咳反射等が発生せず、容易な挿管が可能となる。
【００１８】
また、鼻穴閉塞栓１６が左右の鼻穴Ｋ２に対応して各1つずつ設けられているので、鼻穴閉塞栓１６を取り外して鼻穴Ｋ２を露出することにより、容易かつ確実に気管内チューブ３を鼻穴Ｋ２に挿管することができる。
この場合、気管内チューブ３が挿入されていない鼻穴Ｋ２は鼻穴閉塞栓１６により閉塞され、気管内チューブ３が挿入された側の鼻は気管内チューブ３が挿入されて流路が小さくなっているので麻酔ガスの漏出が抑制可能とされ、患者Ｋに麻酔ガスを供給しつつ気管内チューブ３を挿管することができる。
その結果、患者Ｋの覚醒を抑制しつつ、患者Ｋへの気管内チューブ３による処置を容易に行うことができる。
【００１９】
また、鼻穴閉塞栓１６がマスク本体１１と紐１７により連結されているので、鼻穴閉塞栓１６を容易に取り扱うことが可能とされる。
【００２０】
なお、本発明は上記実施の形態に限定されるものではなく、その趣旨を逸脱しない範囲で適宜変更可能である。
例えば、上記実施の形態においては、マスク本体１１に鼻穴被覆部材１６が紐１７により連結される場合について説明したが、チェーンその他の索状体を用いてもよい。
また、マスク本体１１を形成する材料は、樹脂の材質、色、形態等を自在に選択することができる。
【図面の簡単な説明】
【００２１】
【図１】本発明の一実施形態に係る麻酔用マスクを示す斜視図である。
【図２】一実施形態に係る麻酔用マスクの使用状態を示す図であり、（Ａ）は口から麻酔ガスを供給している状態を、（Ｂ）は気管チューブを用いて麻酔をしている状態を説明する概略図である。
【符号の説明】
【００２２】
Ｋ１  口部
Ｋ２  鼻穴
２  麻酔ガス管路
１０  麻酔用マスク
１１  マスク本体
１２  麻酔ガス導入部
１６、１６Ｒ、１６Ｌ  鼻穴閉塞栓
１７  紐（索状体）
【図１】
2009142330.tif 000003
【図２】
2009142330.tif 000004